(57)【要約】      （修正有）【課題】食品包装体に収容された食品を長期間に亘り保存することができる食品包装体用カバーを提供する。【解決手段】開口部２４の外周縁に形成された互いに平行に延在する一対の第１フランジ部２５ａ、開口部の外周縁に形成された一対の第１フランジ部の一方側の端部同士を互いに接続する第２フランジ部、及び開口部の外周縁に形成された一対の第１フランジ部の他方側の端部同士を互いに接続する第３フランジ部２５ｃを有する容器本体２１と、一対の第１フランジ部、第２フランジ部、及び第３フランジ部に融着され、開口部を閉塞している蓋フィルム２２とを有する食品包装体２に装着され、蓋フィルムを覆うカバー本体部１１と、一方が一対の第１フランジ部の一方に対して一対の第１フランジ部の延在方向にスライド可能に係合し、他方が一対の第１フランジ部の他方に対して該一対の第１フランジ部の延在方向にスライド可能に係合する一対の第１係合部１２とを有する。【選択図】図１
0003199169.tif 000002
【実用新案登録請求の範囲】
【請求項１】
開口部の外周縁に形成された互いに平行に延在する一対の第１フランジ部、前記開口部の前記外周縁に形成された前記一対の第１フランジ部の一方側の端部同士を互いに接続する第２フランジ部、及び前記開口部の前記外周縁に形成された前記一対の第１フランジ部の他方側の端部同士を互いに接続する第３フランジ部を有する容器本体と、前記一対の第１フランジ部、第２フランジ部、及び第３フランジ部に融着され、前記開口部を閉塞している蓋フィルムとを有する食品包装体に装着される食品包装体用カバーであって、
前記食品包装体に装着されたとき、前記蓋フィルムを覆うカバー本体部と、一方が前記一対の第１フランジ部の一方に対して該一対の第１フランジ部の延在方向にスライド可能に係合し、他方が前記一対の第１フランジ部の他方に対して該一対の第１フランジ部の延在方向にスライド可能に係合する一対の第１係合部とを有する、食品包装体用カバー。
【請求項２】
前記カバー本体部は、前記食品包装体に装着されたとき、前記一対の第１フランジ部に沿って延在する一対の側縁を有し、
前記一対の第１係合部は、前記カバー本体部の一対の側縁に沿って延在し、
前記一対の第１係合部のうち一方の第１係合部の外側側縁は、前記一対の側縁のうち一方の側縁に連なり、
前記一対の第１係合部のうち他方の第１係合部の外側側縁は、前記一対の側縁のうち他方の側縁に連なる、請求項１に記載の食品包装体用カバー。
【請求項３】
前記食品包装体に装着されたとき、前記一対の第１係合部の前記第３フランジ部側の端部は、自由端である、請求項２に記載の食品包装体用カバー。
【請求項４】
前記カバー本体部は、前記食品包装体に装着されたときに前記第２フランジ部に沿って延在する第１端縁を有し、
前記カバー本体部の第１端縁に沿って延在し、外側側縁が前記第１端縁に連なる第２係合部を有する、請求項１乃至３の何れかに記載の食品包装体用カバー。
【考案の詳細な説明】
【技術分野】
【０００１】
本考案は、食品包装体用カバーに関する。
【背景技術】
【０００２】
従来からラベル付食品包装体が知られている（例えば特許文献１参照）。
【０００３】
このラベル付食品包装体は、フランジ部を有する容器本体と、フランジ部に熱融着されることによって固定的に取り付けられ、容器本体の開口部を閉塞する蓋体とを備えている。更に、ラベル付食品包装体は、ラベルシールを有し、このラベルシールは一部を切り離すことができることができるように構成されている。これによって、切り離したラベルシールによって、蓋体を容器本体に留めることができ、容器本体に収容された食品の乾燥を防ぎ、食品を比較的長期間に亘り保存することができる。
【先行技術文献】
【特許文献】
【０００４】
【特許文献１】登録実用新案第３１９６６６３号公報
【考案の概要】
【考案が解決しようとする課題】
【０００５】
しかし、特許文献１に記載のラベル付食品包装体は、蓋体を容器本体から大きく剥がした場合、蓋体の切り離したラベルシールによって留めている部分以外の部分が容器本体から浮き上がる場合があり、食品が乾燥する場合があるという問題があった。
【課題を解決するための手段】
【０００６】
上記課題を解決するため、本考案のある態様に係る食品包装体用カバーは、開口部の外周縁に形成された互いに平行に延在する一対の第１フランジ部、前記開口部の前記外周縁に形成された前記一対の第１フランジ部の一方側の端部同士を互いに接続する第２フランジ部、及び前記開口部の前記外周縁に形成された前記一対の第１フランジ部の他方側の端部同士を互いに接続する第３フランジ部を有する容器本体と、前記一対の第１フランジ部、第２フランジ部、及び第３フランジ部に融着され、前記開口部を閉塞している蓋フィルムとを有する食品包装体に装着される食品包装体用カバーであって、前記食品包装体に装着されたとき、前記蓋フィルムを覆うカバー本体部と、一方が前記一対の第１フランジ部の一方に対して該一対の第１フランジ部の延在方向にスライド可能に係合し、他方が前記一対の第１フランジ部の他方に対して該一対の第１フランジ部の延在方向にスライド可能に係合する一対の第１係合部とを有する。
【０００７】
この構成によれば、食品包装体用カバーを食品包装体に装着し、蓋フィルムの周縁部のうち容器本体から剥がした部分全体をカバー本体部が容器本体に向かって押さえ、蓋フィルムが容器本体から浮き上がることをより効果的に防止することができる。よって、容器本体の開口部が蓋フィルムによって覆われた状態をより効果的に保ち、容器本体に収容された食品の乾燥をより効果的に防ぐことができ、当該食品を長期間に亘り保存することができる。
【０００８】
前記カバー本体部は、前記食品包装体に装着されたとき、前記一対の第１フランジ部に沿って延在する一対の側縁を有し、前記一対の第１係合部は、前記カバー本体部の一対の側縁に沿って延在し、前記一対の第１係合部のうち一方の第１係合部の外側側縁は、前記一対の側縁のうち一方の側縁に連なり、前記一対の第１係合部のうち他方の第１係合部の外側側縁は、前記一対の側縁のうち他方の側縁に連なっていてもよい。
【０００９】
この構成によれば、食品包装体用カバーの構成を簡素化することができる。
【００１０】
前記食品包装体に装着されたとき、前記一対の第１係合部の前記第３フランジ部側の端部は、自由端であってもよい。
【００１１】
この構成によれば、一対の第１係合部の一方側の端部から一対の第１フランジ部を挿し込んで、食品包装体用カバーを食品包装体に装着することができる。
【００１２】
前記カバー本体部は、前記食品包装体に装着されたときに前記第２フランジ部に沿って延在する第１端縁を有し、前記カバー本体部の第１端縁に沿って延在し、外側側縁が前記第１端縁に連なる第２係合部を有していてもよい。
【００１３】
この構成によれば、食品包装体用カバーの使い勝手を向上させることができる。
【考案の効果】
【００１４】
本考案は、食品包装体に収容された食品を長期間に亘り保存することができるという効果を奏する。
【図面の簡単な説明】
【００１５】
【図１】本考案の実施の形態に係る食品包装体用カバーを装着した食品包装体の構成例を示す斜視図である。
【図２】図１の食品包装体用カバーを装着した食品包装体の構成例を示す底面図である。
【図３】図１の食品包装体用カバーの使用例を示す斜視図である。
【図４】図１の食品包装体用カバーの使用例を示す斜視図である。
【考案を実施するための形態】
【００１６】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１７】
図１は、本考案の実施の形態に係る食品包装体用カバー１を装着した食品包装体２の構成例を示す斜視図である。図２は、食品包装体用カバー１を装着した食品包装体２の構成例を示す底面図である。
【００１８】
図１及び図２に示すように、食品包装体２は、容器本体２１と、蓋フィルム２２とを有する。
【００１９】
容器本体２１は、開口部２４の外周縁に形成された互いに平行に延在する一対の第１フランジ部２５ａ、開口部２４の外周縁に形成された一対の第１フランジ部２５ａの一方側の端部同士を互いに接続する第２フランジ部２５ｂ、及び開口部２４の外周縁に形成された一対の第１フランジ部２５ａの他方側の端部同士を互いに接続する第３フランジ部２５ｃを有する。
【００２０】
すなわち、容器本体２１は、合成樹脂シートを成形したものであり、浅皿状に形成された食品収容部２３を有し、食品収容部２３の周縁によって囲まれる領域が開口部２４を構成している。したがって、容器本体２１は、上方に開口するように構成されている。開口部２４の外周縁は、略長方形に形成されており、長辺方向に延在する一対の側縁２４ａと、一対の側縁２４ａの一方側の端部同士を互いに接続する、短辺方向に延在する一方の端縁２４ｂ、及び一対の側縁２４ａの他方側の端部同士を互いに接続する、短辺方向に延在する他方側の端縁２４ｃを有する。
【００２１】
そして、容器本体２１は、開口部２４の延在面の法線方向から見て、開口部２４の外周縁から外側に延在するフランジ２５を有し、一対の側縁２４ａに連なるフランジが一対の第１フランジ部２５ａを構成し、端縁２４ｂに連なるフランジが第２フランジ部２５ｂを構成し、端縁２４ｃに連なるフランジ部が第３フランジ部２５ｃを構成する。
【００２２】
蓋フィルム２２は、容器本体２１のフランジ２５（一対の第１フランジ部２５ａ、第２フランジ部２５ｂ、及び第３フランジ部２５ｃ）に融着され、開口部２４を閉塞している。
【００２３】
すなわち、蓋フィルム２２は、柔軟な合成樹脂シート製であり、外周縁が容器本体２１のフランジ２５の外周縁の形状に大略一致するように形成されている。蓋フィルム２２は、周縁部が容器本体２１のフランジ２５（一対の第１フランジ部２５ａ、第２フランジ部２５ｂ、及び第３フランジ部２５ｃ）に例えば熱融着されることによって固定的に取り付けられている。これによって、蓋フィルム２２は、容器本体２１の開口部２４を覆って閉塞し、容器本体２１の内部空間を密封している。したがって、容器本体２１の内部空間に収容された食品を包装し、内部空間に収容された食品を比較的長期間に亘って保存することができる。そして、容器本体２１の内部空間に収容された食品を取り出すときは、蓋フィルム２２を容器本体２１から剥がし、開口部２４を介して食品を取り出す。
【００２４】
なお、蓋フィルム２２は、周縁部が容器本体２１のフランジ２５に熱融着されることによって固定されているので、容器本体２１から一度剥がすと当該剥がした部分を再度容器本体２１に留めることができないように構成されている。
【００２５】
［食品包装体用カバー］
食品包装体用カバー１は、カバー本体部１１と、一対の第１係合部１２と、を有する。また、食品包装体用カバー１は、第２係合部１３を有する。
【００２６】
カバー本体部１１は、食品包装体２に装着されたとき、蓋フィルム２２を覆う。
【００２７】
すなわち、カバー本体部１１は、合成樹脂製であり、平板状に形成されている。カバー本体部１１は、蓋フィルム２２と比較した場合において、蓋フィルム２２よりも硬い材質で構成され、剛性を有する。そして、カバー本体部１１は、外周縁が略長方形に形成されており、長辺方向に延在する一対の側縁１１ａと、一対の側縁１１ａの一方側の端部同士を互いに接続する、短辺方向に延在する一方の第１端縁１１ｂ、及び一対の側縁１１ａの他方側の端部同士を互いに接続する、短辺方向に延在する他方の第２端縁１１ｃを有する。そして、カバー本体部１１は、外周縁の形状が蓋フィルム２２の外周縁（容器本体２１のフランジ２５）の形状に大略一致するように形成されている。
【００２８】
そして、カバー本体部１１は、食品包装体２に装着されたとき、一対の側縁１１ａが一対の第１フランジ部２５ａに沿って延在する。
【００２９】
一対の第１係合部１２は、一方が一対の第１フランジ部２５ａの一方に対して一対の第１フランジ部２５ａの延在方向にスライド可能に係合し、他方が一対の第１フランジ部２５ａの他方に対して一対の第１フランジ部２５ａの延在方向にスライド可能に係合する。
【００３０】
すなわち、一対の第１係合部１２は、カバー本体部１１の一対の側縁１１ａに沿って延在する。一対の第１係合部１２のうち、一方の第１係合部１２の外側側縁１２ａは、一対の側縁１１ａのうち一方の側縁１１ａに連なる。また、一対の第１係合部１２のうち、他方の第１係合部１２の外側側縁１２ａは、一対の側縁１１ａのうち他方の側縁１１ａに連なる。すなわち、一対の第１係合部１２は、カバー本体部１１を構成する板状体の側縁が折り返されて形成され、一対の第１係合部１２の上面は、カバー本体部１１の下面と対峙している。
【００３１】
そして、一対の第１係合部１２は、カバー本体部１１に対して互いに同じ側に位置する。また、一対の第１係合部１２は、食品包装体２に装着されたとき、一対の第１フランジ部２５ａに沿って延在する。
【００３２】
そして、一対の第１係合部１２は、それぞれ、食品包装体２に装着されたとき、第３フランジ部２５ｃ側の端部１２ｂが自由端である。
【００３３】
第２係合部１３は、カバー本体部１１の第１端縁１１ｂに沿って延在し、外側側縁１３ａが第１端縁１１ｂに連なる。すなわち、第２係合部１３は、カバー本体部１１を構成する板状体の側縁が折り返されて形成されている。
【００３４】
そして、第２係合部１３は、カバー本体部１１に対して一対の第１係合部１２と同じ側に位置する。また、第２係合部１３は、食品包装体２に装着されたとき、第２フランジ部２５ｂに沿って延在する。
【００３５】
［使用例］
図３及び図４は、食品包装体用カバー１の使用例を示す斜視図である。
【００３６】
まず、図１に示すように、食品が収容された食品包装体２の蓋フィルム２２を容器本体２１の第３フランジ部２５ｃ及び一対の第１フランジ部２５ａから部分的に剥がす。これによって、容器本体２１の開口部２４を露出させることができ、開口部２４を介して容器本体２１に収容された食品を取り出すことができる。
【００３７】
そして、容器本体２１に食品がまだ残っている場合、食品包装体用カバー１のカバー本体部１１と一対の第１係合部１２との間に食品包装体２の一対の第１フランジ部２５ａを一対の第１係合部１２の端部１２ｂから挿し込み、食品包装体用カバー１をカバー本体部１１の第１端縁１１ｂから第２端縁１１ｃに向かう方向にスライドさせる。これによって、一対の第１フランジ部２５ａ及び蓋フィルム２２の周縁部が一対の第１係合部１２とカバー本体部１１との間に挟み込まれ、食品包装体用カバー１を食品包装体２に装着することができる。食品包装体用カバー１を食品包装体２に装着した状態においては、蓋フィルム２２の周縁部のうち容器本体２１から剥がした部分全体をカバー本体部１１が容器本体２１に向かって押さえ、蓋フィルム２２が容器本体２１から浮き上がることを防止している。よって、容器本体２１の開口部２４が蓋フィルム２２によって覆われた状態を保つことができる。
【００３８】
また、一対の第１係合部１２及びカバー本体部１１が一対の第１フランジ部２５ａを挟み込んでいるので、蓋フィルム２２の周縁部と一対の第１フランジ部２５ａとが当接した状態に保持することができる。
【００３９】
このようにして、容器本体２１に収容された食品の乾燥を防ぐことができ、当該食品を長期間に亘り保存することができる。
【００４０】
このように、食品包装体２の開封後、容器本体２１に残された食品を保存するときに、当該食品を他の保存用容器に移し替えることなく、保存することができる。これによって、食品包装体２及びこれに収容された食品の使い勝手を向上させることができる。
【００４１】
そして、食品包装体用カバー１をスライドさせることによって、食品包装体２の第２フランジ部２５ｂ又は第３フランジ部２５ｃを第２係合部１３とカバー本体部１１との間に挿し込むことができる。これによって、食品包装体用カバー１が食品包装体２に適正に装着された状態において、食品包装体用カバー１が食品包装体２に対してカバー本体部１１の第１端縁１１ｂから第２端縁１１ｃに向かう方向に相対的に移動することを規制することができ、食品包装体用カバー１が食品包装体２から外れることを効果的に防止することができる。
【００４２】
なお、食品包装体用カバー１のカバー本体部１１と一対の第１係合部１２との間に食品包装体２の一対の第１フランジ部２５ａを一対の第１係合部１２の端部１２ｂから挿し込むときに、図３に示すように、一対の第１フランジ部２５ａの第２フランジ部２５ｂ側の端部を挿し込むと、蓋フィルム２２を剥がした部分は、カバー本体部１１の第２端縁１１ｃ側に位置する。したがって、食品包装体用カバー１を装着した食品包装体２から食品を取り出すときは、食品包装体用カバー１を食品包装体２に対して第２端縁１１ｃから第１端縁１１ｂに向かう側に相対的に少しスライドさせることによって、蓋フィルム２２を容器本体２１から剥がした部分を露出させ、食品を取り出すことができる。このように、食品包装体用カバー１を食品包装体２から取り外すことなく食品包装体２から食品を取り出すことができるので、食品を食品包装体２から頻繁に取り出す場合において、食品包装体用カバー１の脱着の手間を省くことができる。
【００４３】
一方、食品包装体用カバー１のカバー本体部１１と一対の第１係合部１２との間に食品包装体２の一対の第１フランジ部２５ａを一対の第１係合部１２の端部１２ｂから挿し込むときに、図４に示すように、蓋フィルム２２の容器本体２１から剥がした部分をフランジ２５にあてがった上で、一対の第１フランジ部２５ａの第３フランジ部２５ｃ側の端部を挿し込むと、第３フランジ部２５ｃ及び蓋フィルム２２の周縁部が第２係合部１３とカバー本体部１１との間に挟み込まれる。すなわち、蓋フィルム２２の容器本体２１から剥がした部分は、第２係合部１３とカバー本体部１１との間に挟み込まれ、容器本体２１のフランジ２５と当接した状態により効果的に保持される。よって、容器本体２１の開口部２４が蓋フィルム２２によって覆われた状態をより効果的に保つことができ、容器本体２１に収容された食品の乾燥をより効果的に防ぐことができ、当該食品を更に長期間に亘り保存することができる。
【００４４】
このように、食品包装体用カバー１は、使用目的に応じて食品包装体２に対する食品包装体用カバー１の装着方法を変えることができ、食品包装体用カバー１の使い勝手を向上させることができる。
【００４５】
以上に説明したように、本考案の食品包装体用カバー１は、一対の第１係合部１２の一方が一対の第１フランジ部２５ａの一方に対して一対の第１フランジ部２５ａの延在方向にスライド可能に係合し、一対の第１係合部１２の他方が一対の第１フランジ部２５ａの他方に対して一対の第１フランジ部２５ａの延在方向にスライド可能に係合するので、一対の第１フランジ部２５ａ及び蓋フィルム２２の周縁部が一対の第１係合部１２とカバー本体部１１との間に挟み込まれ、食品包装体用カバー１を食品包装体２に装着することができる。食品包装体用カバー１を食品包装体２に装着した状態においては、蓋フィルム２２の周縁部のうち容器本体２１から剥がした部分全体をカバー本体部１１が容器本体２１に向かって押さえ、蓋フィルム２２が容器本体２１から浮き上がることを効果的に防止している。よって、容器本体２１の開口部２４が蓋フィルム２２によって覆われた状態を効果的に保つことができる。
【００４６】
また、一対の第１係合部１２及びカバー本体部１１が一対の第１フランジ部２５ａを挟み込んでいるので、蓋フィルム２２の周縁部と一対の第１フランジ部２５ａとが当接した状態に保持することができる。
【００４７】
このようにして、容器本体２１に収容された食品の乾燥を効果的に防ぐことができ、当該食品を長期間に亘り保存することができる。
【００４８】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００４９】
１  食品包装体用カバー
２  食品包装体
１１  カバー本体部
１１ａ  （カバー本体部の）側縁
１１ｂ  （カバー本体部の）第１端縁
１１ｃ  （カバー本体部の）第２端縁
１２  第１係合部
１２ａ  （第１係合部の）外側側縁
１２ｂ  （第１係合部の）端部
１３  第２係合部
１３ａ  （第２係合部の）外側側縁
２１  容器本体
２２  蓋フィルム
２３  食品収容部
２４  開口部
２４ａ  （開口部の）側縁
２４ｂ  （開口部の）端縁
２４ｃ  （開口部の）端縁
２５  フランジ
２５ａ  第１フランジ部
２５ｂ  第２フランジ部
２５ｃ  第３フランジ部
【図１】
0003199169.tif 000003
【図２】
0003199169.tif 000004
【図３】
0003199169.tif 000005
【図４】
0003199169.tif 000006